(57)【要約】      （修正有）【課題】内視鏡検査中の被験者の咽頭反射やくしゃみによる飛沫の拡散を根本的に防止し、術者を保護すると共に、検査室の汚染を防ぐことができる使い捨て可能な内視鏡検査用マスクを提供する。【解決手段】内視鏡検査用マスク１は、被験者の頬と顎に密着するように装着することで被験者の口及び鼻の周囲を覆うように構成された本体部分２と、本体部分２に設けられた耳掛け紐とから成るマスク１において、本体部分２に、内視鏡挿入用の開口部７を形成した。【選択図】図２
0003227464.tif 000002
【実用新案登録請求の範囲】
【請求項１】
被験者の頬と顎に密着するように装着することで被験者の口及び鼻の周囲を覆うように構成された本体部分と、
本体部分に設けられた耳掛け紐と
から成るマスクにおいて、
前記本体部分に、内視鏡挿入用の開口部を形成した
ことを特徴とする内視鏡検査用マスク。
【請求項２】
前記本体部分が、折り畳むと上辺部以外の辺が連結している略台形又は略三角形の二枚重ねのフィルター片になり、広げると上辺部が開口する有底円錐形又は円錐形になるように構成され、
前記折り畳んだ状態で二枚重ねのフィルター片の一方の斜辺部から内方に向けて延びる切断部が形成され、
広げた状態で、前記切断部が形成された斜辺部における切断部より上辺部から離れる部分を内側に折り曲げることにより、前記切断部に対応する部分に前記開口部が形成されるように構成されている
ことを特徴とする請求項１に記載の内視鏡検査用マスク。
【請求項３】
前記本体部分が市販のコーヒーフィルターから成る
ことを特徴とする請求項１又は２に記載の内視鏡検査用マスク。
【考案の詳細な説明】
【技術分野】
【０００１】
本考案は、内視鏡検査時に被験者に装着するため使用される使い捨ての内視鏡検査用マスクに関する。
【背景技術】
【０００２】
先端に小型カメラ又はレンズを内蔵した細長い管を口若しくは鼻から挿入し、上部消化管、気管支、咽喉頭領域の内部を観察し、時には治療を行う内視鏡検査は知られている。
経口・経鼻での上部消化管等の内視鏡検査の施行では、被験者の咽頭反射やくしゃみを誘発する場合があり、被験者が何等かの感染症を持っている場合、飛沫による感染症拡散のリスクが危惧される。
従来、前記上部消化管、気管支、咽喉頭領域の内視鏡検査では、術者が、マスク、フェイスシールド、ガウン及びキャップ等の防護具を装着することにより、被験者の咽頭反射やくしゃみによる飛沫の暴露を防止していた。
【考案の概要】
【考案が解決しようとする課題】
【０００３】
上記したように術者が防護具を装着することにより、術者に対する飛沫の暴露は防止することはできるが、従来の方法では、被験者の飛沫が検査室内に拡散することを防止することができないという問題がある。
特に、近年、感染力が強い新型コロナウィルスの流行により、院内感染等を防止するために術者は勿論のこと、検査室の汚染も防止することが重要になってきている。
本考案は、本考案は上記した従来の問題を解決し、内視鏡検査中の被験者の咽頭反射やくしゃみによる飛沫の拡散を根本的に防止し、術者を保護すると共に、検査室の汚染を防ぐことができる使い捨て可能な内視鏡検査用マスクを提供することを目的としている。
【課題を解決するための手段】
【０００４】
上記した目的を達成するために、本考案に係る内視鏡検査用マスクは、被験者の頬と顎に密着するように装着することで被験者の口及び鼻の周囲を覆うように構成された本体部分と、本体部分に固定された耳掛け紐とから成るマスクにおいて、前記本体部分に、内視鏡挿入用の開口部を形成したことを特徴とする。
また、本考案に係る内視鏡検査用マスクにおいては、前記本体部分が、折り畳むと上辺部以外の辺が連結している略台形又は略三角形の二枚重ねのフィルター片になり、広げると上辺部が開口する有底円錐形又は円錐形になるように構成され得、前記折り畳んだ状態で二枚重ねのフィルター片の一方の斜辺部から内方に向けて延びる切断部が形成され、広げた状態で、前記切断部が形成された斜辺部における切断部より上辺部から離れる部分を内側に折り曲げることにより、前記切断部に対応する部分に前記開口部が形成されるように構成され得る。
前記本体部分を構成するフィルター片は、例えば、ろ紙や不織布等のような、一定の通気性を有し、かつ、くしゃみ等による飛沫の拡散を防止できるフィルタリング性能を有する材料から成る。
具体的には、前記本体部分は、例えば、市販のコーヒーフィルターで構成することができる。
【考案の効果】
【０００５】
本考案に係る内視鏡検査用マスクは、被験者の頬と顎に密着するように装着することで被験者の口及び鼻の周囲を覆うように構成された本体部分と、本体部分に固定された耳掛け紐とから成るマスクにおいて、前記本体部分に、内視鏡挿入用の開口部を形成しているので、被験者がマスクを装着した状態で、前記開口部から内視鏡を通すことが可能になる。これにより、検査中に被験者の咽頭反射やくしゃみによる飛沫がマスク内部で効果的にトラップされるので、飛沫が拡散することがなく、被験者が何等かの感染症を持っている場合でも、飛沫による感染症拡散を防止することが可能になる。従来、内視鏡の分野では、被験者がマスクをするという発想がなく、感染予防のためには術者が防護具を装着することした実施されていなかったため被験者の咽頭反射やくしゃみによる飛沫の検査室内への拡散を防止することができていなかったため、本考案は、この内視鏡に係る技術分野においては非常に画期的であり、効果が高い。
また、前記本体部分が、折り畳むと上辺部以外の辺が連結している略台形又は略三角形の二枚重ねのフィルター片になり、広げると上辺部が開口する円錐形又は有底円錐形になるように構成され、前記折り畳んだ状態で二枚重ねのフィルター片の一方の斜辺部から内方に向けて延びる切断部を形成し、広げる時に、前記切断部が形成された斜辺部における切断部より上辺部から離れる部分を内側に折り曲げることにより、前記切断部に対応する部分に前記開口部が形成されるように構成することにより、内視鏡検査用マスクを簡単に製造することが可能になる。また、本体部分が広げると円錐形又は有底円錐形になるので、装着時にマスクと被験者の口及び鼻との間に十分な空間を確保することができ、本体部分がフィルター片で構成されていることも相俟って、被験者の呼吸を妨げることがない。また、本体部分をろ紙や不織布等のフィルター片のみで構成することができるので、材料費が非常に安価であり、さらに、内視鏡を通す開口部を本体部分の一部に切断部を形成するだけで構成することができるので製造が非常に容易である。これにより、低価格で大量生産することが可能になり、使い捨てマスクとして利用することが可能になる。
さらにまた、市販のコーヒーフィルターを本体部分として利用することで、製造がより容易になる。
【図面の簡単な説明】
【０００６】
【図１】本考案に係る内視鏡検査用マスクの一実施例を折り畳んだ状態の側面図である。
【図２】図１に示した内視鏡検査用マスクを開いた状態を示す斜視図である。
【図３】図１及び２に示した内視鏡検査用マスクを被験者に装着した状態を示す図である。
【図４】本考案に係る内視鏡検査用マスクの第二実施例を折り畳んだ状態の側面図である。
【考案を実施するための形態】
【０００７】
以下、添付図面に示した幾つかの実施例を参照して、本考案に係る内視鏡検査用マスクの実施の形態を説明していく。
図１は、本考案に係る内視鏡検査用マスクの一実施例を折り畳んだ状態の側面図である。
図中符号１は、内視鏡検査用マスク（以下、単に「マスク」と称する。）を示しており、このマスク１は、本体部分２と、本体部分２に固定された耳掛け紐３とを有する。本体部分２は、折り畳んだ状態で、上辺部２ａ以外の斜辺部２ｂ及び２ｃ並びに底辺部２ｄが連結している断面略台形状の二枚重ねのフィルター片から成り、上辺部２ａを円形状に広げることにより全体が有底円錐形になるように構成されている。前記フィルター片は、例えば、ろ紙や不織布等のような、一定の通気性を有し、かつ、くしゃみ等による飛沫の拡散を防止できるフィルタリング性能を有する材料から成る。
本体部分２の斜辺部２ｂには、内方に向けて延びる切断部４が形成されている。
この切断部４の長さは、少なくとも使用する内視鏡を挿入可能な寸法の開口部を形成し得る長さであり、例えば、斜辺部２ｂに対して垂直に切断部４を形成する場合には、使用する内視鏡の直径より大きい。
前記耳掛け紐３は、弾性を有する素材、例えば、ゴム紐等から成り、本体部分２の二枚重ねのフィルター片の上辺部２ａ近くに形成された開口２ｅに固定されている。
上記したように構成された本体部分２は、その上辺部２ａを円形状に広げて有底円錐形にした状態で、前記切断部４が形成された斜辺部２ｂにおける切断部４より上辺部２ａから離れる部分５、即ち、この実施例では底辺部２ｄ側の部分５（以下、「折り曲げ部分５」と称する）を、谷折線６に沿って内側に折り曲げることにより、開口部７が形成される（図２参照）。ここで、切断部４の長さは、使用する内視鏡の半径よりも大きくされているので、前記折り曲げ部分５を内側に折り曲げることにより、開口部７は内視鏡の直径より大きいサイズになる。
上記したように構成されたマスク１を、前記切断部４によって形成される開口部７が上方に位置するように、被験者の頬と顎に密着するよう装着して、耳掛け紐３を被験者の耳にかけてマスク１を固定した状態を図３に示す。図３に示すように、本考案に係るマスク１によれば、被験者がマスク１を装着した状態で、開口部７から内視鏡を通すことが可能になるので、被験者がマスク１を装着したまま内視鏡検査を実施することが可能になる。被験者がマスク１を装着することで、被験者の咽頭反射やくしゃみによる飛沫がマスク内部で効果的にトラップされるので、飛沫が拡散することがなく、術者等を保護すると共に、検査室内の汚染も防止することが可能になる。さらにまた、本体部分２が、広げると有底円錐形になるので、装着時にマスクと被験者の口及び鼻との間に十分な空間を確保することができ、本体部分がフィルター片で構成されていることも相俟って、被験者の呼吸を妨げることがない。
さらに、上記したマスク１は、例えば、内視鏡検査を始める前は、前記折り曲げ部分５を折り曲げない状態で被験者に装着させ、内視鏡検査を始める時に術者が折り曲げ部分５を内側に折り曲げて内視鏡を通すように使用することで、飛沫の拡散の可能性をより低減されることができる。
上記したように構成されたマスク１における本体部分２は、限定するものではないが、一般に流通しているコーヒーフィルターで構成され得る。一般に流通しているコーヒーフィルターを本体部分２の材料として使用することにより、材料の調達が容易になり、安価に、かつ、迅速にマスク１を大量生産することが可能になる。但し、本考案に係るマスク１における本体部分２の材料はコーヒーフィルターに限定されるものではなく、一定の通気性を有し、かつ、くしゃみ等による飛沫の拡散を防止できるフィルタリング性能を有するろ紙や不織布等の材料であれば任意の材料でよく、専用に製造されたものであってもよい。また、市販のマスクを利用することも可能である。
【０００８】
次に、図４を参照して本考案に係るマスク１の第二実施例を説明していく。
以下の説明では、第一実施例に対応する部分について、同じ名称及び符号を使用して説明する。
図４に示したマスク１は、本体部分２が、折り畳んだ状態で、上辺部２ａ以外の斜辺部２ｂ及び２ｃが連結している断面略三角形状の二枚重ねのフィルター片から成り、上辺部２ａを円形状に広げることにより全体が円錐形になるように構成されている。
本体部分２の斜辺部２ｂには、内方に向けて延びる切断部４が形成されている。
この切断部４の長さは、少なくとも使用する内視鏡を挿入可能な寸法の開口部を形成し得る長さであり、例えば、斜辺部２ｂに対して垂直に切断部４を形成する場合には、使用する内視鏡の直径より大きい。
前記耳掛け紐３は、本体部分２の二枚重ねのフィルター片の上辺部２ａ近くに形成された二つの開口２ｅに固定されている。
上記したように構成されたマスク１は、その上辺部２ａを円形状に広げて円錐形にした状態で、前記切断部４が形成された斜辺部２ｂにおける切断部４より上辺部から離れる折り曲げ部分５を、谷折線６に沿って内側に折り曲げることにより、開口部（図示せず）が形成される。
【０００９】
上記した実施例では、本体部分に斜辺部から内方に向けてのびる切断部を形成し、斜辺部の一部を内方に折り曲げることにより開口部を形成しているが、開口部の形態は本実施例に限定されることなく、内視鏡を挿入することができる形態であれば任意の形態でよく、例えば、本体部分の適当な位置を丸くくりぬく等して開口部を形成してもよい。
上記した実施例では、本体部分に開口２ｅを形成して、開口２ｅに耳掛け紐３を固定するように構成されているが、この構成は本実施例に限定されることなく、例えば、圧着等で本体部分に耳掛け紐を固定するように構成してもよく、さらに、耳掛け紐を本体部分と一体に形成してもよい。
【符号の説明】
【００１０】
１  内視鏡検査用マスク
２  本体部分
２ａ  上辺部
２ｂ  斜辺部
２ｃ  斜辺部
２ｄ  底辺部
２ｅ  開口
３  耳掛け紐
４  切断部
５  折り曲げ部分
６  谷折線
７  開口部
【図１】
0003227464.tif 000003
【図２】
0003227464.tif 000004
【図３】
0003227464.tif 000005
【図４】
0003227464.tif 000006